(57)【要約】      （修正有）【課題】身体へより良好にフィットと、ヒップホールド部に発生し得るシワ等による違和感を防止又は軽減できる個装吸収性物品を提供する。【解決手段】透液性の表面シートと、不透液性の裏面シートと、それらの間に設けられた吸収体とを有する本体を含む吸収性物品と、これを個装する包装シートとを含む個装吸収性物品であって、本体は、前後方向及び該前後方向と直交する方向にそれぞれ所定の長さ、幅を有し、吸収性物品がヒップホールド部を有しており、この部位は、本体の側部領域において、前後方向中心線からの幅が最大部分を含む第１凸部と、その前後に隣接する第２凹部、第１凹部とを有し、ヒップホールド部の側部領域に山折り線が形成されるように折られており、山折り線は、第１凹凸部間の第１変曲点と、第１凸部と第２凹部との間の第２変曲点との間でヒップホールド部の側部領域の縁部と交差し且つ前後方向の中心線に略直交している、個装吸収性物品。【選択図】図１
2018083015.tif 000002
【特許請求の範囲】
【請求項１】
透液性の表面シートと、不透液性の裏面シートと、前記表面シートと前記裏面シートとの間に設けられた吸収体とを有する本体を含む吸収性物品と、
前記吸収性物品を個装する包装シートと
を含む個装吸収性物品であって、
前記本体は、前後方向に所定の長さ及び当該前後方向と直交する方向に所定の幅を有する形状であり、
前記吸収性物品がヒップホールド部を有しており、当該ヒップホールド部は、前記本体の後方側部から突出する側部領域において、前記本体の前後方向中心線からの幅が最も大きい部分を含む第１凸部と、前記第１凸部より後方に隣接する第１凹部と、前記第１凸部より前方に隣接する第２凹部とを有し、
前記吸収性物品は、前記ヒップホールド部の側部領域に山折り線が形成されるように折られており、
前記山折り線は、前記第１凹部と前記第１凸部との間の第１変曲点と、前記第１凸部と前記第２凹部との間の第２変曲点との間で前記ヒップホールド部の側部領域の縁部と交差し且つ前記前後方向の中心線に略直交している、個装吸収性物品。
【請求項２】
前記ヒップホールド部の前記側部領域が、前記前後方向に延びる前後方向折り線で折られており、
前記山折り線の延長線と前記前後方向折り線との交点と前記第１凹部の底点とを通る直線と、前記山折り線とのなす角度、及び
前記交点と前記第２凹部の底点とを通る直線と、前記山折り線とのなす角度
が３０°〜６０°である、請求項１に記載の個装吸収性物品。
【請求項３】
前記側部領域の前記裏面シート側に、前記吸収性物品を固定するためのズレ止め材が設けられており、前記ズレ止め材は、前記交点と前記第２凹部の底点とを通る直線を跨るように配置されている、請求項２に記載の個装吸収性物品。
【請求項４】
透液性の表面シートと、不透液性の裏面シートと、前記表面シートと前記裏面シートとの間に設けられた吸収体とを有する本体を含む吸収性物品であって、
前記本体は、前後方向に所定の長さ及び当該前後方向と直交する方向に所定の幅を有する形状であり、
ヒップホールド部を有しており、当該ヒップホールド部は、前記本体の後方側部から突出する側部領域において、前記本体の前後方向中心線からの幅が最も大きい部分を含む第１凸部と、前記第１凸部より後方に隣接する第１凹部と、前記第１凸部より前方に隣接する第２凹部とを有し、
前記ヒップホールド部の側部領域に山折り線が形成されており、
前記山折り線は、前記第１凹部と前記第１凸部との間の第１変曲点と、前記第１凸部と前記第２凹部との間の第２変曲点との間で前記ヒップホールド部の側部領域の縁部と交差し且つ前記前後方向の中心線に略直交している、吸収性物品。
【請求項５】
透液性の表面シートと、不透液性の裏面シートと、前記表面シートと前記裏面シートとの間に設けられた吸収体とを有する本体を含む吸収性物品を折り畳む方法であって、
前記本体は、前後方向に所定の長さ及び当該前後方向と直交する方向に所定の幅を有する形状であり、
前記吸収性物品がヒップホールド部を有しており、当該ヒップホールド部は、前記本体の後方側部から突出する側部領域において、前記本体の前後方向中心線からの幅が最も大きい部分を含む第１凸部と、前記第１凸部より後方に隣接する第１凹部と、前記第１凸部より前方に隣接する第２凹部とを有し、
前記吸収性物品を、山折り線が前記ヒップホールド部の側部領域に形成されるように折ることを含み、
前記山折り線は、前記第１凹部と前記第１凸部との間の第１変曲点と、前記第１凸部と前記第２凹部との間の第２変曲点との間で前記ヒップホールド部の側部領域の縁部と交差し且つ前記前後方向の中心線に略直交している、吸収性物品を折り畳む方法。
【発明の詳細な説明】
【技術分野】
【０００１】
本発明は、個装吸収性物品、吸収性物品、及び吸収性物品を折り畳む方法に関する。
【背景技術】
【０００２】
従来、パンティライナー、生理用ナプキン、失禁パッド等の吸収性物品として、透液性の表面シートとの不透液性の裏面シートとの間に吸収体が設けられたものが知られている。
【０００３】
さらに近年では、吸収性物品の後方及び／又は斜め後方から体液が漏れることを防止するために、両側部後方から後端部にわたり長さ及び幅を大きくして、臀部を保持する部分（ヒップホールド部）を設けた吸収性物品が知られている。
【０００４】
例えば、特許文献１には、横方向の半幅寸法が極小となる起点から後方に向かうにしたがって半幅寸法が徐々に広くなる前方拡開部と、縦方向中心線と平行な縁を有する中間部と、半幅寸法が後縁部に向けて徐々に小さくなる後方収束部とを有する後方フラップを備えた生理用ナプキンが開示されている。
【０００５】
特許文献２には、液不透過性シートと該液不透過性シートの肌当接面側に積層された不織布とからなる後部フラップを備えた吸収性物品が開示されている。特許文献２の後部フラップは、液不透過性シートと不織布とが積層された積層体に熱エンボス加工を施して凹凸パターンを形成することにより剛性が高められている。
【０００６】
また、特許文献３には、製品長を長くし、長手方向に沿う両側部に形成された一対の立体ギャザーと、後方領域の両側部それぞれから幅方向外側に延出する一対の後方フラップとを有する構成が開示されている。
【０００７】
ところで、吸収性物品を携帯用に個装（個別包装）する場合には折り畳む必要があるが、特許文献１〜３のようにヒップホールド部を有するために製品長が長くなっている吸収性物品の場合には、長手方向に間欠的に設けた折り線で折って畳むことが好ましい。特許文献１には、幅方向に延びる個装折り線を３本設けることが記載されており、端部に近い２つの個装折り線の位置は、立体ギャザーの弾性部材の端部が固定される位置との関係で規定されている。
【先行技術文献】
【特許文献】
【０００８】
【特許文献１】特許第５０８２００７号公報
【特許文献２】特許第３８７１６１１号公報
【特許文献３】特許第５９４７５１７号公報
【発明の概要】
【発明が解決しようとする課題】
【０００９】
しかしながら、上記特許文献１〜３に記載された吸収性物品の後方フラップの形状では、臀部の丸みに沿ったフレキシブルな変形はできない。そのため、後方フラップ部が臀部に良好にフィットしない場合がある。
【００１０】
また、製品長の長い吸収性物品の折り畳みついては特許文献３に記載があるが、特許文献３の吸収性物品においては、ヒップホールド部の形状と折り線との位置関係については考慮されていない。
【００１１】
上記の点に鑑みて、本発明は、身体へより良好にフィットさせることができ、且つヒップホールド部に発生し得るシワ等による違和感を防止又は軽減できる個装吸収性物品を提供することを課題とする。
【課題を解決するための手段】
【００１２】
上記課題を解決するため、本発明の第一の形態は、透液性の表面シートと、不透液性の裏面シートと、前記表面シートと前記裏面シートとの間に設けられた吸収体とを有する本体を含む吸収性物品と、前記吸収性物品を個装する包装シートとを含む個装吸収性物品であって、前記本体は、前後方向に所定の長さ及び当該前後方向と直交する方向に所定の幅を有する形状であり、前記吸収性物品がヒップホールド部を有しており、当該ヒップホールド部は、前記本体の後方側部から突出する側部領域において、前記本体の前後方向中心線からの幅が最も大きい部分を含む第１凸部と、前記第１凸部より後方に隣接する第１凹部と、前記第１凸部より前方に隣接する第２凹部とを有し、前記吸収性物品は、前記ヒップホールド部の側部領域に山折り線が形成されるように折られており、前記山折り線は、前記第１凹部と前記第１凸部との間の第１変曲点と、前記第１凸部と前記第２凹部との間の第２変曲点との間で前記ヒップホールド部の側部領域の縁部と交差し且つ前記前後方向の中心線に略直交している。
【００１３】
上記第一の形態では、ヒップホールド部が、側部領域において、本体の前後方向中心線からの幅が最も大きい部分を含む第１凸部と、前記第１凸部より後方に隣接する第１凹部と、前記第１凸部より前方に隣接する第２凹部とを有する。そのため、吸収性物品を装着する際にヒップホールド部を臀部に沿うように当てた時、第１凸部は、その前後の部分に影響を及ぼすことなく比較的独立して変形することが可能である。このような変形によって、ヒップホールド部の、臀部の曲面形状（丸み）に沿ったフレキシブルな変形が可能となり、ヒップホールド部を身体へより良好にフィットさせることができる。
【００１４】
そして、本形態では、個装のために吸収性物品を折るに際して、ヒップホールド部の側部領域に山折り線が形成されるように折られており、この山折り線は、第１凹部と第１凸部との間の第１変曲点と、第１凸部と第２凹部との間の第２変曲点との間でヒップホールド部の側部領域の縁部と交差し且つ前後方向の中心線に略直交している。
【００１５】
上記山折り線は臀部側に突出するので、吸収性物品を装着する際には、この突出した部分が最初に臀部に接触しやすくなっている。そして、ヒップホールド部が臀部に沿って押し当てられると、上記突出部分は直ちに下着側に押され、これにより、山折り線の両側の領域は、隣接する第１凹部及び第２凹部へ向かって自然に押し出される。この押出しにより、最大幅を有する第１凸部を前後方向へ引き伸ばすことができるので、第１凸部におけるシワ等を防止することができる。その結果、装着感を向上させることができる。
【００１６】
本発明の第二の形態では、前記ヒップホールド部の前記側部領域が、前記前後方向に延びる前後方向折り線で折られており、前記山折り線の延長線と前記前後方向折り線との交点と前記第１凹部の底点とを通る直線と、前記山折り線とのなす角度、及び前記交点と前記第２凹部の底点とを通る直線と、前記山折り線とのなす角度が３０°〜６０°である。
【００１７】
上記第二の形態によれば、ヒップホールド部の側部領域に形成される山折り線が、第１凹部及び第２凹部に対して所定の位置に形成されている。そのため、第１凸部にシワ等を発生させる力が作用しても、その力を周囲に逃すことができる適切な範囲を第１凸部の両側に確保することができ、違和感を軽減させることができる。
【００１８】
本発明の第三の形態では、前記側部領域の前記裏面シート側に、前記吸収性物品を固定するためのズレ止め材が設けられており、前記ズレ止め材は、前記交点と前記第２凹部の底点とを通る直線を跨るように配置されている。
【００１９】
上記第三の形態によれば、ズレ止め材が、第２凹部の底点に近接した所定の位置に配置される。これにより、シワ等が発生して、第１凸部の前方に隣接する第２凹部に応力が過度に集中しそうになった場合でも、第２凹部付近の領域が下着に固定されて応力が分散されるので、大きなシワの発生を防止することができる。
【００２０】
本発明の第四の形態では、透液性の表面シートと、不透液性の裏面シートと、前記表面シートと前記裏面シートとの間に設けられた吸収体とを有する本体を含む吸収性物品であって、前記本体は、前後方向に所定の長さ及び当該前後方向と直交する方向に所定の幅を有する形状であり、ヒップホールド部を有しており、当該ヒップホールド部は、前記本体の後方側部から突出する側部領域において、前記本体の前後方向中心線からの幅が最も大きい部分を含む第１凸部と、前記第１凸部より後方に隣接する第１凹部と、前記第１凸部より前方に隣接する第２凹部とを有し、前記ヒップホールド部の側部領域に山折り線が形成されており、前記山折り線は、前記第１凹部と前記第１凸部との間の第１変曲点と、前記第１凸部と前記第２凹部との間の第２変曲点との間で前記ヒップホールド部の側部領域の縁部と交差し且つ前記前後方向の中心線に略直交している。
【００２１】
上記第四の形態によれば、上記第一の形態と同様の作用効果を奏する吸収性物品を提供することができる。また、吸収性物品を折り畳まずに個装する場合又は折り畳まずに重ねて包装する場合でも、上記第一の形態と同様の作用効果を奏することができる。
【００２２】
本発明の第五の形態では、透液性の表面シートと、不透液性の裏面シートと、前記表面シートと前記裏面シートとの間に設けられた吸収体とを有する本体を含む吸収性物品を折り畳む方法であって、前記本体は、前後方向に所定の長さ及び当該前後方向と直交する方向に所定の幅を有する形状であり、前記吸収性物品がヒップホールド部を有しており、当該ヒップホールド部は、前記本体の後方側部から突出する側部領域において、前記本体の前後方向中心線からの幅が最も大きい部分を含む第１凸部と、前記第１凸部より後方に隣接する第１凹部と、前記第１凸部より前方に隣接する第２凹部とを有し、前記吸収性物品を、山折り線が前記ヒップホールド部の側部領域に形成されるように折ることを含み、前記山折り線は、前記第１凹部と前記第１凸部との間の第１変曲点と、前記第１凸部と前記第２凹部との間の第２変曲点との間で前記ヒップホールド部の側部領域の縁部と交差し且つ前記前後方向の中心線に略直交している。
【００２３】
上記第五の形態によれば、上記第一の形態と同様の作用効果を奏する吸収性物品を折り畳む方法を提供することができる。
【発明の効果】
【００２４】
本発明の一形態によれば、身体へより良好にフィットさせることができ、且つヒップホールド部に発生し得るシワ等による違和感を防止又は軽減できる個装吸収性物品が提供される。
【図面の簡単な説明】
【００２５】
【図１】本発明の一形態による吸収性物品の一部破断図である。
【図２】本発明の一形態による吸収性物品のＩ−Ｉ線断面図である。
【図３】本発明の一形態におけるヒップホールド部の側部領域の部分拡大図である。
【図４】本発明の一形態におけるヒップホールド部の側部領域の部分拡大図である。
【図５Ａ】本発明の一形態による吸収性物品を個装する手順を示す図である。
【図５Ｂ】本発明の一形態による吸収性物品を個装する手順を示す図である。
【図５Ｃ】本発明の一形態による吸収性物品を個装する手順を示す図である。
【図５Ｄ】本発明の一形態による吸収性物品を個装する手順を示す図である。
【図５Ｅ】本発明の一形態による吸収性物品を個装する手順を示す図である。
【図６】本発明の一形態による吸収性物品が装着された状態を示すモデル図である。
【発明を実施するための形態】
【００２６】
以下、本発明の実施の形態について図面を参照しながら説明する。
【００２７】
（吸収性物品）
吸収性物品１は、図１及び図２に示すように、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。吸収性物品１は、さらに、図１に示すように、後述のヒップホールド部Ｈと、ウィングＷＧを備えたウィング部Ｗとを有しており、ヒップホールド部Ｈとウィング部Ｗとの間は中間部Ｍとなっている。ヒップホールド部Ｈは、装着時に下着のクロッチ部分の後端に対応する位置を起点として、吸収性物品１の後端まで延びる部分とすることができ、ウィング部Ｗは、吸収性物品１の前端からウィングＷＧの後方の終端までの領域とすることができる。
【００２８】
吸収性物品１を使用する場合は、ウィング部Ｗ側が前方方向を向き、ヒップホールド部Ｈ側が後方方向を向くように下着に装着する。本体８は、図１に示すように、全体としては、前後方向に所定の長さを有する細長い形状であり、前後方向と直交する方向に略一定の幅を有している。そして、吸収性物品１は、前後方向に延びる中心線ＣＬに対し略線対称の形状になっている。
【００２９】
吸収体４の前方及び後方の端縁部では、裏面シート２の外縁と表面シート３の外縁とが、ホットメルト等の接着剤やヒートシール、超音波シール等の接着手段によって接合されている。また、表面シート３側の両側部には、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されており、これにより、ヒップホールド部Ｈの側部領域１０及びウィングＷＧが形成されている。
【００３０】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００３１】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法の内、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００３２】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（sｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３３】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００３４】
吸収体４の厚みは、約０．５〜２５ｍｍの範囲内とすることが好ましい。吸収体４は、前面にわたり均一な厚みを有していなくともよく、体液排出部位に対応した部分を膨出させた構造とすることもできる。また、吸収体４は、積繊又はエアレイド法によって製造されたものが好ましい。
【００３５】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロリド系撥水剤などをコーティングした撥水処理不織布を用いることが好ましい。また、ヒップホールド部Ｈにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００３６】
ヒップホールド部Ｈの側部領域１０及びウィング部ＷのウィングＷＧの外縁には、サイド不織布７と裏面シート２との接合のため及び剛性を高めるために、所定の箇所に、ドットエンボスや所定の形状を有するエンボスを施したエンボス加工部を設けることができる。
【００３７】
また、本体８には、身体への密着性を高めて漏れを防止するための圧搾溝（フィットエンボス）１６を設けることができる。図１の形態では、ウィング部Ｗより前方に配置された前方圧搾溝１６ａ、体液排出部対応領域１３を囲むように前後方向に延びる中央部圧搾溝１６ｂ、主にヒップホールド部Ｈに配置されて臀裂部から臀部に対応する第１後方圧搾溝１６ｃ及び第２後方圧搾溝１６ｄが配置されている。
【００３８】
（ヒップホールド部）
本形態の吸収性物品１は、ヒップホールド部Ｈを備えている。ヒップホールド部Ｈは、吸収性物品１の両側部後方から後端部にわたる部分の長さ及び幅を大きくすることによって形成された面積拡張部分であり、図６に示すように、装着時に下着Ｓの臀部内面側に固定されることで、吸収性物品１の後方及び／又は斜め後方からの体液の漏れを阻止する機能を有する。ヒップホールド部Ｈは、図１に示すように、吸収性物品１の本体８の両側部の後方から後端部にかけて延在する、サイド不織布７と裏面シート２とが積層されたフラップ状の部分を含む。
【００３９】
ヒップホールド部Ｈは、本体８の後方側部から突出する側部領域１０と、本体８の後端部から突出する後部領域１１とを有している。ヒップホールド部Ｈの側部領域１０は、主として裏面シート２とサイド不織布７とが貼り合せられて構成された領域を含み、後部領域１１は、主として裏面シート２と表面シート３とが貼り合せられて構成された領域を含む。
【００４０】
ヒップホールド部Ｈの側部領域１０及び後部領域１１は、吸収体４を有さず、本体８に比べて薄く構成されていることが好ましい。これにより、本体８よりもフレキシブルな動きをすることができる。しかし、本体８で用いられる吸収体４より薄く構成された吸収体を、ヒップホールド部Ｈ内の裏面シート２とサイド不織布７との間に積層させることもできる。
【００４１】
ヒップホールド部Ｈは、装着時に下着のクロッチ部分の後端に対応する位置を起点として、吸収性物品１の後端まで延びる部分とすることができる。図１の形態では、ヒップホールド部Ｈは、第２凹部３２の前方に隣接する第２凸部２２の前方の終端がある位置から吸収性物品１の後端までの前後方向にわたる部分となっている。ヒップホールド部Ｈの前後方向の長さは、例えば、５〜２０ｃｍであると好ましく、８〜１８ｃｍであるとより好ましい。
【００４２】
吸収性物品１の全長は２７ｃｍ以上であってよく、３０ｃｍ以上であってよく、また４５ｃｍ以下とすることができる。全長に対してヒップホールド部Ｈの前後方向の長さは、１０〜５０％であると好ましい。なお、ヒップホールド部Ｈは、吸収性物品１の幅が最も大きくなる部分を含み、その幅は、１２〜２３ｃｍであると好ましい。
【００４３】
（ヒップホールド部の外周形状）
ヒップホールド部Ｈには、その外周（外形線）に凹凸が設けられている。例えば、ヒップホールド部Ｈは、図１に示すように、側部領域１０において、本体８の前後方向中心線からの幅が最も大きい部分を含む第１凸部２１と、第１凸部２１より後方に隣接する第２凹部３２と、第１凸部２１より前方に隣接する第２凹部３２とを有する。また、ヒップホールド部Ｈには、図１に示すように、本体の後端部から突出する後部領域１１にも凹凸が設けられていてよい。
【００４４】
以下、ヒップホールド部Ｈの外周に凹凸が形成されていることによる作用を説明する。
【００４５】
ヒップホールド部Ｈは、全体としては平面状である。この様な平面状のヒップホールド部Ｈを臀部に当てた場合、臀部が曲面形状を有するために、平面形状と曲面形状との違いに起因して、特にヒップホールド部Ｈの外周領域（側部領域１０及び後部領域１１）に歪が生じ、シワが発生し得る。発生するシワの大きさや数はヒップホールド部Ｈ全体の面積（エリア）及び臀部の曲面の形状に関係するが、ヒップホールド部Ｈの外周に上述のような凸部及び凹部が形成されていない場合は、ヒップホールド部Ｈの外周領域の複数の箇所にシワやヨレが発生し得る。この様なシワが臀部の肌に接すると違和感を与えるが、特に、長時間椅子に腰掛けている場合、或いは夜間仰向けに寝ている場合は、体重の一部が臀部に加わるため、その分、違和感乃至不快感は大きくなる。また、就寝中の姿勢の変化或いは着席中の姿勢の変化により臀部に掛かる体重の大きさや、臀部とヒップホールド部Ｈとの接触状態が変化することで、シワが一層大きくなり得る。さらに夜間等で、仰向け或いは横向きで寝ている場合は、そのようなシワにより生じた隙間から体液が外部に漏洩しやすくなる。
【００４６】
これに対し、本形態では、ヒップホールド部Ｈの外形形状には、第１凸部２１、並びにその両側に設けられた第１凹部３１及び第２凹部３２が存在しているため、例えば、第１凸部２１にシワを発生させる力が作用しても、そのような力は、ヒップホールド部Ｈ全体に伝搬することはなく、例えば、比較的応力の集まりやすい両側の第１凹部３１及び第２凹部３２までで留まる。そのため、例えば、シワが発生すると特に違和感が生じやすい脚周りに近い中間部Ｍの領域にまでシワが伝搬することを防ぐことができる。すなわち、第１凸部２１は、その両側に大きな影響を及ぼすことなく独立して変形することが可能である。
【００４７】
よって、吸収性物品を装着する際にヒップホールド部Ｈを臀部の曲面に沿うように当てた時、ヒップホールド部Ｈを、臀部の曲面に沿って変形させることができる。これにより、ヒップホールド部Ｈの臀部へのフィット性を向上させることができる。
【００４８】
ヒップホールド部Ｈの側部領域１０に設けられた第１凸部２１、第１凹部３１及び第２凹部３２の曲率半径（単位ｍｍ）は、本体８及びヒップホールド部Ｈの形状及びサイズに応じて適宜選択され、特に限定はされない。例えば、第１凸部２１の曲率半径は２５〜３５ｍｍ、第１凹部３１の曲率半径は１５〜２５ｍｍ、第２凹部３２の曲率半径は１０〜２０ｍｍとすることができる。また、第２凹部３２の前方に隣接する第２凸部２２が形成されている場合には、第２凸部の曲率半径は３６〜４６ｍｍであってよい。第１凹部３１の後方に隣接する第３凸部２３が形成されている場合には、第３凸部２３の曲率半径は３０〜４０ｍｍとすることができる。
【００４９】
また、本形態では、ヒップホールド部Ｈの側部領域１０において第１凸部２１、第１凹部３１及び第２凹部３２が設けられた構成となっており、図示の形態では、第２凹部３２の前方に隣接する第２凸部２２、及び第１凹部３１の後方に隣接する第３凸部２３がさらに設けられている。しかし、凸部及び凹部の数及び形状はこれに限られない。例えば、ヒップホールド部Ｈの側部領域１０には、１〜５個の凸部を設けることができ、２〜５個の凹部を設けることができる。
【００５０】
（個装吸収性物品）
本形態は、個装吸収性物品、つまり、都合良く且つ衛生的に携帯することが可能であるように個別に包装された吸収性物品１である。個装吸収性物品は、上述の吸収性物品１と、包装シート１８とを有する。
【００５１】
包装シート１８は、吸収性物品１を包み込むことができるような形状を有することが好ましい。例えば、包装シート１８は、後で説明する図５Ａ〜図５Ｅに示すように、平面視で長方形であってよい。また、平面視で正方形等の形状としてもよい。
【００５２】
包装シート１８は、ポリプロピレン、ポリエチレン等のポリオレフィン系フィルム、ポリエステル、ポリビニルアルコール等のフィルムや、不織布、ラミネート不織布（ポリラミ不織布を含む）等が用いられる。印刷によるデザインを重視するのであればフィルムが好ましく、風合いやソフト感等を重視するのであれば不織布等が好ましい。
【００５３】
個装吸収性物品は、折り畳まれて個装されており、前後方向に略直交する折り線に沿って三つ折り以上、好ましくは四つ折り以上に折り畳まれていることが好ましい。四つ折り以上（折り線が３本以上）とすることで、製品長が長い吸収性物品であっても長さの短いコンパクトな形態とすることができるので、携帯や収納が容易になる。
【００５４】
また、前後方向に略直交する折り線に沿った折り畳みに加えて、ヒップホールド部Ｈの側部領域１０及びウィングＷＧを本体８の側縁に沿って内側に折り畳むことが好ましい。つまり、例えば、前後方向に延びる後述の折り線Ｌ０（図５Ａ）を形成するよう折り畳むことが好ましい。このように側部の拡張部分を折り込んでおけば、携帯時に邪魔にならない。なお、ヒップホールド部Ｈの側部領域１０及びウィングＷＧは薄いフラップ状の部分であるので、この部分の前後方向に沿った折り込みは、前後方向に略直交する折り線に沿った折り畳みの前に行っておいた方が、ヒップホールド部Ｈの側部領域１０及びウィングＷＧには不要なシワ等が生じにくい。
【００５５】
（山折り線）
本形態の吸収性物品１は、ヒップホールド部Ｈの側部領域１０に山折り線Ｙが形成されるように折られている。図３に、ヒップホールド部Ｈの一方の側部領域１０の一部を含む領域の拡大図を示す。図３に示すように、山折り線Ｙは、第１凹部３１と第１凸部２１との間の第１変曲点Ｆ１と、第１凸部２１と第２凹部３２との間の第２変曲点Ｆ２との間でヒップホールド部Ｈの側部領域１０の縁部と交差し且つ前後方向の中心線ＣＬに略直交している。つまり、ヒップホールド部Ｈに形成される折り線Ｙは、最も幅の大きい第１凸部２１において、特にその頂点付近に、前後方向中心線ＣＬに略直交する線と言える。
【００５６】
なお、山折り線とは、吸収性物品１の表側（表面シート３が設けられている側）に山状に突出するように折られた線である。また、前後方向の中心線ＣＬに略直交するとは、厳密な直交を指すのではなく、例えば前後方向の中心線に対して±１５°以下の角度をなしていてよく、±５°以下の角度をなしていることが好ましい。
【００５７】
山折り線Ｙは、第１凸部２１の頂点から前方方向又は後方方向に１５ｍｍ以下の距離だけ離れた範囲内に形成されていることが好ましく、８ｍｍ以下の距離だけ離れた範囲内に形成されているとより好ましく、５ｍｍ以下の距離だけ離れた範囲内に形成されているとさらに好ましい。また、山折り線Ｙは、第１凸部２１の頂点を通り前後方向中心線ＣＬに直交する線であるとより好ましい。さらに、本体８の側縁（前後方向折り線Ｌ０）にまで延在する線、又は本体８の側縁にまで延在する線であると好ましい。
【００５８】
通常、吸収性物品を装着する際には、ヒップホールド部Ｈの側部領域１０及び後部領域１１には、シワやヨレ（以下、シワ等と言う場合がある）がランダムに（不規則な深さ及び長さで）入りやすい。そして、この傾向は、特に側部領域１０において幅が最も大きい第１凸部２１において大きい。このような第１凸部２１おけるシワ等は、肌に当ると違和感を生じさせる原因となり得る。
【００５９】
これに対し、本形態では、ヒップホールド部Ｈの側部領域１０の第１凸部２１付近に山折り線Ｙが形成されるように、吸収性物品１を折り畳む。この山折り線Ｙは、吸収性物品１を使用する段階で個装状態から開封した時にも維持されている、つまり、山折り線Ｙの折り目が表面シート３側に突出した状態となっている。そのため、吸収性物品１を装着する際には、この山折り線Ｙの突出部分が臀部側に出張り、最初に肌に接触するようになる。そして、ヒップホールド部Ｈを臀部に沿ってあてがった時、山折り線Ｙの突出部分は臀部からの力によって直ちに下着側に押される。そうすると、山折り線Ｙの両側の領域は、隣接する第１凹部３１及び第２凹部３２へ向かって自然に押し出される。
【００６０】
上記のように山折り線Ｙの両側の領域が押し出されることで、ヒップホールド部Ｈの中でも最も動き易く最もシワ等が発生しやすい第１凸部２１を前後方向へ容易に引き伸ばすことができる。その結果、第１凸部２１におけるシワ等の発生を防止することができる。上述のように、第１凸部２１は吸収性物品１のうち最大幅を有する領域であるので、第１凸部２１にできる不規則なシワ等は違和感の発生に直結し得る。しかし、本形態によってこのような面積の広い第１凸部２１におけるシワ等を抑制することができるので、装着感を向上させることができる。
【００６１】
また、ヒップホールド部Ｈの側部領域１０においてシワ等を発生させる力が大きく働き、シワ等の発生を防げない場合であっても、シワ等は、応力の集中しやすい凹部、例えば第１凹部３１及び第２凹部３２に集まる。凹部は凸部に比べて幅方向の長さが短いので、凹部にシワが発生したとしてもそのシワの長さも短くなり、そのような凹部のシワによって生じる違和感は、幅の大きい凸部に発生したシワに比べて小さくなる。
【００６２】
このように、本形態の個装吸収性物品によれば、ヒップホールド部Ｈの側部領域１０に凹凸が設けられており且つ第１凸部２１付近に山折り線Ｙが形成されるように折られているので、身体へのフィット性が高い上、違和感が良好に防止又は軽減される。
【００６３】
図示の形態では、山折り線Ｙは、第１凸部２１の頂点から本体８の側縁まで連続して延びているが、連続して延びていなくともよい。例えば、第１凸部２１の頂点付近から第１凸部２１の途中で終端している線であってよい。
【００６４】
山折り線Ｙは、上述のように、第１変曲点Ｆ１と第２変曲点Ｆ２との間でヒップホールド部Ｈの側部領域１０の縁部と交差し、前後方向中心線ＣＬに略直交しているのであれば、複数設けられていてもよいが、数が多くなると、山折り線Ｙ自体により違和感が生じ得、ランダムなシワ等を周囲領域に伸ばすことで違和感を低下させるという効果を妨げる可能性があるので、山折り線Ｙは1つであることが好ましく、多くても３つ以内であることが好ましい。
【００６５】
ヒップホールド部Ｈの側部領域１０は、上述のように前後方向折り線Ｌ０（図５Ａ）で折られていることが好ましい。その場合の、山折り線Ｙと第１凹部３１及び第２凹部３２との位置関係について、図４に示すヒップホールド部Ｈの一方の側部領域１０の一部を含む領域の拡大図によって説明する。
【００６６】
図４に示すように、山折り線Ｙ（又はその延長線）と前後方向折り線Ｌ０との交点Ａと、第１凹部３１の底点とを通る直線Ｘ１と、山折り線Ｙ（又はその延長線）とのなす角度α１が３０°〜６０°であると好ましく、３５°〜４５°であるとより好ましい。また、同様に、上記の交点Ａと第２凹部３２の底点とを通る直線Ｘ２と、山折り線Ｙとのなす角度α２が３０°〜６０°であると好ましく、３５°〜４５°であるとより好ましい。
【００６７】
山折り線Ｙの位置と第１凹部３１の位置との関係、及び山折り線Ｙの位置と第２凹部３２の位置との関係が上記のような範囲となっている場合、第１凸部２１にシワ等を発生させる力が作用した場合であっても、その力を周囲に逃すことができる適切な範囲を第１凸部２１の両側に確保することができる。すなわち、角度α１及びα２を３０°以上とすることで、シワ等が第１凸部２１に近い位置で発生して違和感を大きくしてしまうことを防ぎ、６０°以下とすることで、応力が過度に集中してシワ等を生じることになっても凹部にシワを集める効果を奏することができる。
【００６８】
上記の角度α１及びα２は同じであっても相違していてもよい。なお、椅子に座っている際等には、臀部がヒップホールド部Ｈの後方から前方に相対移動しやすく、特に第１凸部２１の前方付近で肌がヒップホールド部Ｈと密着しやすい。その場合であっても、角度α２が角度α１より大きくなっていると、第１凸部２１の前方でより広い範囲にわたって引き伸ばし作用を奏し、不規則なシワ等を防止できるので、違和感が生じにくい。
【００６９】
（ズレ止め材）
図１、図２に示すように、ヒップホールド部Ｈの裏面シート２には、吸収性物品１を固定するためのズレ止め材９が設けられていてよい。ズレ止め材９は、粘着性又は非粘着性の層であり、この層を介してヒップホールド部Ｈと下着とを結合させ、ヒップホールド部Ｈが下着における所定位置からズレることを抑制する。
【００７０】
ズレ止め材９は、粘着性又は非粘着性の層として形成することができる。粘着性の層としては、例えば、スチレン系ポリマー、粘着付与剤、可塑剤及びこれらの組合せを主成分とするものが好適に使用される。また、粘着付与剤及び可塑剤としては、常温で固体の各種石油系樹脂、エステル系ポリマー等が挙げられる。非粘着性の層としては、ゴム等のエラストマーを使用することができる。
【００７１】
本形態では、図４に示すように、ズレ止め材９は、第２凹部３２の底点に近接した位置に配置することができる。ズレ止め材９は、上述の山折り線Ｙ（又はその延長線）と前後方向折り線Ｌ０との交点Ａと、第２凹部３２の底点とを通る直線Ｘ２を跨るように配置されていることが好ましい。これにより、第２凹部３２付近に応力が過度に集中した場合でも、第２凹部３２付近の領域が下着に固定されて応力が分散されるので、シワの発生に至ること又は大きなシワが発生することを防止又は低減することができる。また、ズレ止め材９は、脚周りに比較的近い第２凹部３２の付近に形成されているので、違和感を生じやすい脚周りでのシワやヨレの防止に寄与することができ、結果として、快適な装着感を保つことができる。
【００７２】
また、本形態では、第１凸部２１の曲率半径が、第１凹部３１の曲率半径及び第２凹部３２の曲率半径より大きくなっていると好ましい。つまり、第１凹部３１及び第２凹部３２のくびれが深くなっていると好ましい。これにより、第１凸部２１において、折り畳みによる山折り線Ｙが形成されやすくなる。よって、第１凸部２１にシワやヨレを発生させる力が生じた場合であっても、シワやヨレをその両側、つまり第１凹部３１及び第２凹部３２の領域へ逃がす効果が促進される。
【００７３】
（吸収性物品を折り畳む方法）
以下、吸収性物品１を折り畳む方法を具体的に示す。
【００７４】
本形態では、吸収性物品１を、図５Ａ〜図５Ｅに示すように、包装シート１８及び剥離シート１９と共に、吸収性物品１の前後方向に四つ折りする。四つ折りにすることで、大きいサイズの吸収性物品１であっても簡単に持ち運ぶことができるようになる。但し、吸収性物品１の大きさや用途によっては、三つ折りとすることもできる。
【００７５】
折り畳む手順としては、まず、図５Ａに示すように、吸収性物品１を包装シート１８上に配置する。包装シート１８は、ヒップホールド部Ｈの最大幅及びウィング部Ｗの最大幅のうち大きい方の幅とほぼ同じか、又はそれより大きな幅を有していると好ましい。また、図５Ａに示すように、包装シート１８の前後方向の長さは、吸収性物品１の前後方向の長さより必ずしも大きくなくてもよい。その場合であっても、包装シート１８の前端部が、吸収性物品１の前端部よりも前方にあるように配置することが好ましい。
【００７６】
次に、前後方向折り線Ｌ０にて、本体８の側縁部から外側に延びるフラップ状の部分、すなわちヒップホールド部Ｈの側部領域１０及びウィングＷＧを、図５Ａに矢印で示すように、内側に（表面シート３の側に）折り畳む。このような内側への折り畳みによって、本体８の側縁部に前後方向に沿って谷折り線が付き、吸収性物品１を包装から取り出して装着する際に、ヒップホールド部Ｈの側部領域１０が臀部を包み込む方向に形付けられることになるので、フィット性をさらに向上させることができる。
【００７７】
この折り畳み後には、裏面シート２側に配置されていたズレ止め材９が表側に現れるので、ズレ止め材９の粘着性保護のために、ズレ止め材９上に剥離シート１９を配置する。剥離シート１９を配置した後の状態を図５Ｂに示す。剥離シート１９は、図５Ｂに示されるように長方形状とすることができるが、折り畳みの過程でズレ止め材９を覆うように配置することができるものであれば、長方形状に限られず、楕円形等でもよい。また、剥離シート１９は、ウィングＷＧ及びヒップホールド部Ｈの側部領域１０のズレ止め材９をそれぞれ覆うように、複数配置してもよい。
【００７８】
剥離シート１９としては、ズレ止め材９が当接する側の面に離型処理が施された紙、ポリプロピレン、ポリエチレン等のポリオレフィン系フィルム、ポリエステル、ポリビニルアルコール等のフィルムや、不織布、ラミネート不織布（ポリラミ不織布）等を用いることができる。上記の離型処理は、シリコーン系樹脂、フッ素系樹脂、又は四フッ化エチレン系樹脂等の離型処理液を塗工するかスプレー塗布することによって形成することができる。なお、離型処理を施さなくても、ズレ止め材９から容易に剥離できるものであって且つズレ止め材９の粘着力の低下を招かないものであれば、フィルムそのものであっても、不織布そのものであってもよい。
【００７９】
剥離シート１９を配置した後、吸収性物品１を、ヒップホールド部Ｈ側から第１折り線Ｌ１で、包装シート１８と共に折り返す。第１折り線Ｌ１で折り返した後の状態を、図５Ｃに示す。この時、第１折り線Ｌ１は、ヒップホールド部Ｈの側部領域１０に山折り線Ｙが形成されるように折られるが、この山折り線Ｙは、上述のように、第１凹部３１と第１凸部２１との間の第１変曲点と、前記第１凸部２１と前記第２凹部３２との間の第２変曲点との間で前記ヒップホールド部Ｈの側部領域１０の縁部と交差し且つ前後方向の中心線ＣＬに略直交するように形成される。山折り線Ｙは、第１凸部２１の頂点を通り中心線ＣＬに直交する方向に延在するよう形成されていることが好ましい。
【００８０】
続いて、第１折り線Ｌ１よりも前方の第２折り線Ｌ２で、吸収性物品１を包装シート１８と共に後方から内側へ折り返す。第２折り線で折った後の状態を図５Ｄに示す。第２折り線Ｌ２は、ウィング部Ｗより後方に位置する中間部Ｍを幅方向に横切る線であえればよいが、折りによって吸収性物品１が曲げられることによって体液排出部対応領域１３（図１）の吸収性能を損なわないように、体液排出部対応領域１３上にないことが好ましい。また、圧搾溝１６、特に、臀裂部から臀部に対応する第１後方圧搾溝１６ｃ（図１）が折れてその機能を損なうことを避けるために、第１後方圧搾溝１６ｃよりも前に設けられていることが好ましい。
【００８１】
第２折り線Ｌ２で折った後、第２折り線Ｌ２よりさらに前方の第３折り線Ｌ３において、吸収性物品１を、今度は図５Ｄの矢印で示したように前方から（図５Ｄで見て上から）折り返す。第３折り線Ｌ３は、ウィングＷＧにシワ等が発生することを避けるために、ウィング部Ｗより前方の位置に配置されていることが好ましい。第３折り線Ｌ３で折って個装吸収性物品となった状態を、図５Ｅに示す。
【００８２】
第３折り線Ｌ３による折り畳みが終わった後には、包装シート１８の両側縁部をそれぞれエンボス圧着、加熱融着、接着剤等によって封鎖することができる。また、個装吸収性物品の包装シート１８の前端は、シールテープ、エンボス圧着、加熱融着、接着剤等によって固定し、個装が前端から開いてしまうことを防止することができる。
【００８３】
なお、本形態では、最初にヒップホールド部Ｈの側部領域１０及びウィング部ＷのウィングＷＧを図５Ａの矢印で示すように内側に折った後に、吸収性物品１全体を前後方向に折っている。しかし、最初の段階で、ヒップホールド部Ｈの側部領域１０及びウィング部ＷのウィングＷＧを、図５の矢印で示した方向とは逆に折る、つまり、本体８の側縁部を前後方向に沿って外側に（裏面シート２側に）折ることもできる。このように側縁部を外側に折った場合であっても、上述した手順と同様に表面シート３が内側となるように前後方向に折り畳んでいくと、ヒップホールド部Ｈの側部領域１０に山折り線Ｙを形成することができる。
【００８４】
第１折り線Ｌ１は、吸収性物品１の後端部から３０〜２００ｍｍの位置となり得る。また、第２折り線Ｌ２は、吸収性物品１の後端部から１２０〜３５０ｍｍの位置に配置されていることが好ましい。第３の折り線Ｌ３は、吸収性物品１の前端部から５０〜１００ｍｍの位置であると好ましい。
【００８５】
なお、図示の形態では、ズレ止め材９が吸収性物品１の裏面シート２側に予め配置されており、このズレ止め材９を覆うように剥離シート１９を配置しているが、ズレ止め材９は、吸収性物品１ではなく、剥離シート１９に設けておくこともできる。すなわち、前後方向折り線Ｌ０で内側に折られた吸収性物品１に剥離シート１９を重ねたときに、吸収性物品１のウィングＷＧ及びヒップホールド部Ｈの側部領域１０における所望の位置に対応するように、剥離シート１９にズレ止め材９を設けておく。そして、前後方向折り線Ｌ０で内側に折られた吸収性物品１の上に、ズレ止め材９付きの剥離シート１９を、ズレ止め材９が設けられている側が吸収性物品１に対向するように載置し、その後、上述の形態と同様に、第１折り線Ｌ１、第２折り線Ｌ２、第３折り線Ｌ３で順に折っていくことができる。
【００８６】
上記のようにズレ止め材９を予め剥離シート１９に設けておく場合には、ズレ止め材９の、吸収性物品１と対向する面に接着剤を塗布しておくことで、ズレ止め材９を吸収性物品１の裏面シート２に固着させることができる。
【００８７】
上述の形態では、山折り線Ｙは、個装の際の折りによって形成されているが、山折り線Ｙが予め形成された吸収性物品であってもよい。その場合、山折り線Ｙは、折り加工や圧搾等により形成することができる。例えば、図５Ａに示すように吸収性物品１が広げられた状態で、少なくともヒップホールド部Ｈの側部領域１０に山折り線Ｙを加工形成ことができる。
【００８８】
予め山折り線Ｙを形成する場合、例えば、長手方向には折り畳まずに、図５Ｂに示す状態で個装することもできる。すなわち、前後方向の２つの折り線Ｌ０にて、本体８の側縁から外方に延びるフラップ状の部分、すなわちヒップホールド部Ｈの側部領域１０及びウィングＷＧを含む部分が内側に折り畳まれた状態で個装することができる。なお、この場合、包装シート１８の幅は、前後方向折り線Ｌ０にて内側又は外側に折られた後の吸収性物品１の幅（おおよそ本体８の幅）とほぼ同じ幅としてもよい。
【００８９】
また、前後方向の２つの折り線Ｌ０にて折り畳まれた状態の吸収性物品１を積層させて、まとめて包装することもできる。これによって、厚さが薄い状態で、また複数重ねた状態で嵩張らずに、包装し、運搬することができる。また、取り出しの時間及び手間を省くことができるので、吸収性物品１を大量に次々と利用する用途において有用である。
【符号の説明】
【００９０】
１  吸収性物品
２  裏面シート
３  表面シート
４  吸収体
５  被包シート
７  サイド不織布
８  本体（吸収性物品本体）
９  ズレ止め材
１０  側部領域
１１  後部領域
１３  体液排出部対応領域
１６ａ〜１６ｄ  圧搾溝
１８  包装シート
１９  剥離シート
２１  第１凸部
３１  第１凹部
３２  第２凹部
ＣＬ  前後方向中心線
Ｈ  ヒップホールド部
Ｌ０  前後方向折り線
Ｌ１  第１折り線
Ｌ２  第２折り線
Ｌ３  第３折り線
Ｓ  下着
Ｗ  ウィング部
ＷＧ  ウィング
【図１】
2018083015.tif 000003
【図２】
2018083015.tif 000004
【図３】
2018083015.tif 000005
【図４】
2018083015.tif 000006
【図５Ａ】
2018083015.tif 000007
【図５Ｂ】
2018083015.tif 000008
【図５Ｃ】
2018083015.tif 000009
【図５Ｄ】
2018083015.tif 000010
【図５Ｅ】
2018083015.tif 000011
【図６】
2018083015.tif 000012